(57)【要約】  カラーイメージスケール表示装置（１００）は、単色及び配色と、感性語等を対応付けた感性語データベース（２１０）を少なくとも格納したデータ記憶部（２００）と、配色を構成する各単色の面積比率が変化した場合に、変化後の配色の座標空間上での位置を演算により求める近似関数（３１０）や、主として入力部（４００）やデータ生成部（５００）や表示部（６００）の機能を実現する制御プログラム（３２０）等を格納した主記憶部（３００）と、操作者が感性語を入力したり、表示画面上での位置を指示したり、あるいは表示画面上の表示内容の切り替えを指示する等を行う入力部（４００）と、データ記憶部（２００）や主記憶部（３００）からのデータに基づいて、表示用データを生成するデータ生成部（５００）と、データ生成部（５００）で生成されたデータをモニタ（図示省略）に表示する表示部（６００）とを備える。
2014037982.tif 000002
【特許請求の範囲】
【請求項１】
複数の単色、及び所定数の前記単色を隣接配列してなる配色に対する、予め定めた少なくとも２種類の感性的イメージに関して得られた心理学的な分析データに基づいて、前記単色及び前記配色を前記少なくとも２種類の感性的イメージに対応する座標軸で構成された座標空間上に配置し、
前記配置された前記単色及び前記配色の内の少なくとも一部の前記単色及び前記配色に対応する感性語を備えたカラーイメージスケールであって、
前記配色には、前記配色を構成する前記単色の面積比率が等分の配色と非等分の配色とが含まれることを特徴とする、カラーイメージスケール。
【請求項２】
前記等分の面積比率で隣接配列した前記配色と、前記非等分の面積比率で隣接配列した前記配色と、前記配色を構成する各単色とが、互いに前記座標空間上で関連付けられていることを特徴とする、請求項１に記載のカラーイメージスケール。
【請求項３】
前記心理学的な分析によって予め得られている前記配色の面積比率とは異なる面積比率を有する別の配色の前記座標空間上の配置位置は、前記予め得られている前記配色の配置位置を利用して補間されている、又は、前記別の配色の前記座標空間上の配置位置を求めるための補間関数を有していることを特徴とする、請求項２に記載のカラーイメージスケール。
【請求項４】
前記配色は少なくとも２つの前記単色で構成されており、
前記関連付けとして、前記面積比率が等分の前記配色の前記座標空間上の配置位置と、前記配色を構成する各単色の前記座標空間上の配置位置とを結ぶ線分のデータを有し、
前記線分は、前記単色の内の一つの単色の面積比率を増加させると共に、残りの単色の合計の面積比率を減少させた場合の各配色の配置位置を繋いだ線分であることを特徴とする、請求項２又は３に記載のカラーイメージスケール。
【請求項５】
前記配色は３つ以上の前記単色で構成されており、
前記残りの単色の合計の面積比率を減少させる場合、前記残りの単色を均等の面積比率で減少させたことを特徴とする、請求項４に記載のカラーイメージスケール。
【請求項６】
前記補間関数は、線形近似関数、指数近似関数、対数近似関数、多項式近似関数の何れかであることを特徴とする、請求項３に記載のカラーイメージスケール。
【請求項７】
請求項１に記載のカラーイメージスケールを格納する格納部と、
前記単色及び前記配色の全部又は一部を前記座標空間上に表示し、更に、それら表示された前記単色及び前記配色の内の少なくとも一部の前記単色及び前記配色に対応する前記感性語を前記座標空間上に表示する表示部と、
を備えたことを特徴とする、カラーイメージスケール表示装置。
【請求項８】
前記等分の面積比率で隣接配列した前記配色と、前記非等分の面積比率で隣接配列した前記配色と、前記配色を構成する各単色とが、互いに前記座標空間上で関連付けられていることを特徴とする、請求項７に記載のカラーイメージスケール表示装置。
【請求項９】
前記表示部に表示されている前記配色の位置とは異なる位置を指示する位置指示部と、
前記位置指示部で指示された前記座標空間上の前記異なる位置に対応する前記配色を構成する前記単色の面積比率を得て、前記得られた面積比率と、その面積比率で表した前記配色とを、表す表示用データを生成するデータ生成部とを備え、
前記生成した表示用データを前記表示部に表示することを特徴とする、請求項８に記載のカラーイメージスケール表示装置。
【請求項１０】
前記配色は少なくとも２つの前記単色で構成されており、
前記関連付けとして、前記面積比率が等分の前記配色の前記座標空間上の配置位置と、前記配色を構成する各単色の前記座標空間上の配置位置とを結ぶ線分のデータを有し、
前記線分は、前記単色の内の一つの単色の面積比率を増加させると共に、残りの単色の合計の面積比率を減少させた場合の各配色の配置位置を繋いだ線分であり、
前記表示部は、前記線分を表示することを特徴とする、請求項８又は９に記載のカラーイメージスケール表示装置。
【請求項１１】
前記配色は３つ以上の前記単色で構成されており、
前記残りの単色の合計の面積比率を減少させる場合、前記残りの単色を均等の面積比率で減少させるものであり、
前記表示部は、前記線分を表示することを特徴とする、請求項１０に記載のカラーイメージスケール表示装置。
【請求項１２】
前記感性語を入力する感性語入力部と、
前記入力された感性語に対応する一つ又は複数種類の前記配色の内の一種類の配色と、その配色を構成する前記単色とが前記表示部に表示されている場合において、前記表示部の表示内容を切り替える表示切り替え指示部とを備え、
前記表示切り替え指示部から切り替え指示を受けた場合、前記表示部は、前記一種類の配色と同じ感性語を共有する別の種類の配色と、前記別の種類の配色を構成する各単色とを表示することを特徴とする、請求項８〜１１の何れかに記載のカラーイメージスケール表示装置。
【請求項１３】
請求項１に記載のカラーイメージスケールを格納する格納部を有するカラーイメージスケール表示装置を利用して、前記単色及び前記配色の全部又は一部を前記座標空間上に表示し、更に、それら表示された前記単色及び前記配色の内の少なくとも一部の前記単色及び前記配色に対応する前記感性語を前記座標空間上に表示する表示ステップを備えたことを特徴とする、カラーイメージスケール表示方法。
【請求項１４】
請求項１３に記載のカラーイメージスケール表示方法の、前記表示ステップをコンピュータに実行させるプログラム。
【請求項１５】
請求項１４に記載のプログラムを記録した記録媒体であって、コンピュータにより処理可能な記録媒体。
【発明の詳細な説明】
【技術分野】
【０００１】
本発明は、個々の配色が有する固有の感性的イメージを心理学的に分析し、その感性的イメージの度合を尺度として配色を整理して、ウォーム−クール軸、ソフト−ハード軸、クリア−グレイッシュ軸などの心理軸からなるイメージ空間に単色、配色、感性語（形容詞）を立体的に配置したカラーイメージスケール等に関する。
【背景技術】
【０００２】
従来から、配色の方法やテクニックについては、様々な色彩学者が科学者、芸術家による配色理論が提唱されており、それらに基づいた配色例がある（例えば、非特許文献１参照）。【０００３】
また、主要な感性語（形容詞）のイメージと対応する配色パターンを、多数の被験者を対象に調査して、心理軸を基に作成した２次元のイメージマップにプロットする方法が提唱されている（例えば、非特許文献２参照）。【０００４】
他方、近年、コンピュータを利用した配色設計に関する技術として、例えば、色コードと色感による感性語と対応する画像変更技術（例えば、特許文献１参照）や、配色に関する一般感情語句と対応させる技術がある（例えば、特許文献２参照）。【０００５】
また、感性語ではなく、見本画像を用いて画像の印象によって配色を支援する技術がある（例えば、特許文献３参照）。【０００６】
ところで、人間の目で見える範囲の色の表現方法の一つとして、色相（Ｈｕｅ）、明度（Ｖａｌｕｅ）、彩度（Ｃｈｒｏｍａ）の３属性で表現するマンセル表色系が知られている。【０００７】
その他にも、オストワルト、ＮＣＳなど多くの表色系が提案されている。【０００８】
表色系は単色の記録や伝達のために色を数値や記号で体系化したシステムであり、色を正確に分類、記録することが出来るが、人が色に対して感じる心理的な印象やイメージとは無関係である。【０００９】
そこで、色の心理的イメージを体系化するための方法としてカラーイメージスケールが発明された（例えば、特許文献４参照）。【００１０】
このカラーイメージスケールは、色相、明度、彩度を代表する１３０色の固有のイメージをＳＤ法調査と因子分析を用い心理的に分析し、因子軸上における１３０色の各色の位置と、「感性語（形容詞）を最も的確に表現した等分の３色配色」を心理座標軸上に投影し体系化したものである。【００１１】
これを用いることにより、配色と感性語（形容詞）を互いに置き換えたり、感性語を使いさまざまな評価やリサーチをすることが可能となった。
【先行技術文献】
【非特許文献】
【００１２】
【非特許文献１】清野恒介、島森功著「配色辞典」新紀元社
【非特許文献２】小林重順著、日本カラーデザイン研究所編「カラーイメージスケール  改訂版」講談社
【特許文献】
【００１３】
【特許文献１】特開平９−１２８５２５号公報
【特許文献２】特開平７−２８８７４号公報
【特許文献３】特開２００２−３７３３４４号公報
【特許文献４】特公昭５６−４６０８２号公報
【発明の概要】
【発明が解決しようとする課題】
【００１４】
しかしながら、現実世界の色彩は、多様な面積比で存在し、デザインや各種の表現では面積比率の異なる配色で構成されていることが一般的である。等分の配色を現実のデザインや配色に活かすには、デザイナーや制作者の直感や力量に頼る必要があった。【００１５】
様々なデザインや表現行為において、配色や色の使い方は個人の好みや資質によるところが大きく、そのための支援ツールや方法論として効果が認められているノウハウは少ないのが現状である。【００１６】
その方法論の一つにグラフィックデザインや色彩教育の分野で提唱されている「配色理論」があるが、色相やトーンといった表色系の知識をベースに作られたこれらの理論を実務的な各分野のデザインや配色に応用することは、専門技能に熟練した者でないと困難である。【００１７】
その理由の一つとして、配色理論は従来、色の３属性と言われる色相（円環）、明度（縦軸）、彩度（横軸）により立体概念として表されるが、色相の組み合わせ方を説明するルールと、明度と彩度の組み合わせであるトーン（色調）の組み合わせ方のルールに大別されるが、それらが立体の中で複雑に関係するさまざまな種類の配色を直感的に把握し配色に応用することは非常に難しいからである。【００１８】
特に、トーンは明度と彩度という２つの属性を組み合わせた分類方法であり、色相別に２次元表示することが多いが、色相とトーン名から色を具体的に思い浮かべることが難しい。３次元で表した場合には、トーンは色立体の中でドーナツ状になり、色相とトーン名から立体の中におけるその色の位置や具体的な色を想像するのはより困難である。【００１９】
トーンは、ＪＩＳ規格（物体色の色名ＪＩＳ Ｚ ８１０２）では、「有彩色の明度及び彩度に関する修飾語を付けた色の範囲」ということになっており、色相を越えて領域が設定されているが、立体的に表示するには模型や３Ｄ画像を使わなければならない。【００２０】
また、トーンを含めた様々な配色理論も、配色の教材やテキストなどにおいて、２次元表示を前提としているため単純化されたルールになっており、３次元上の複雑な配色の組み合わせを表示、表現することが困難である。【００２１】
もう一つの理由として、色相やトーンの考え方を使って説明される配色理論の目的は、調和性を感じる配色やバランスのとれた配色を作るための、ごく基本的なルールを理想化して示したものであり、個々に異なる条件が混在する現実のデザインや配色に応用するには単純化されすぎていることが挙げられる。【００２２】
特に、「配色によって表現される具体的な感性的イメージ」や「配色を見た時に感じる人の心理的なイメージの共感性の確保」は、色を選択する立場の制作者や制作物の出来栄えを判断する者の個人的な感性や好みに依存している場合が多い。【００２３】
そうした問題を解決するために上述した非特許文献２によるカラーイメージスケール（感性語と配色を体系化したマップ）は、感性語に対応した配色が示されており、感性語と配色を結びつけた共通認識のためのツールとして使われている。【００２４】
しかし、非特許文献２では、縦横の２軸の平面座標にプロットしているため、立体表示に比べて使い勝手や精度、応用範囲に限界があった。【００２５】
特に、それぞれの単色どうしの位置関係や配色どうしの位置関係が２次元上で示されるので、軸の中心領域付近に配置される単色どうしの差異を確認したり、清色的、濁色的といった微妙な色の調整を行い難いという問題があった。尚、色を感じる人間の心理は非常に複雑だが、より人間の心理に近づけるためには３軸以上が必要となる。【００２６】
本発明は、上記従来のカラーイメージスケール等の課題に鑑みて、異なる単色を隣接配列してなる配色を構成する各単色の面積比率が変化した場合に、どの心理軸に影響を与えるのかを容易に把握できるという効果を発揮することを目的とする。
【課題を解決するための手段】
【００２７】
上記目的を達成するために、第１の本発明は、
複数の単色、及び所定数の前記単色を隣接配列してなる配色に対する、予め定めた少なくとも２種類の感性的イメージに関して得られた心理学的な分析データに基づいて、前記単色及び前記配色を前記少なくとも２種類の感性的イメージに対応する座標軸で構成された座標空間上に配置し、
前記配置された前記単色及び前記配色の内の少なくとも一部の前記単色及び前記配色に対応する感性語を備えたカラーイメージスケールであって、
前記配色には、前記配色を構成する前記単色の面積比率が等分の配色と非等分の配色とが含まれることを特徴とする、カラーイメージスケールである。【００２８】
また、第２の本発明は、
前記等分の面積比率で隣接配列した前記配色と、前記非等分の面積比率で隣接配列した前記配色と、前記配色を構成する各単色とが、互いに前記座標空間上で関連付けられていることを特徴とする、上記第１の本発明のカラーイメージスケールである。【００２９】
また、第３の本発明は、
前記心理学的な分析によって予め得られている前記配色の面積比率とは異なる面積比率を有する別の配色の前記座標空間上の配置位置は、前記予め得られている前記配色の配置位置を利用して補間されている、又は、前記別の配色の前記座標空間上の配置位置を求めるための補間関数を有していることを特徴とする、上記第２の本発明のカラーイメージスケールである。【００３０】
また、第４の本発明は、
前記配色は少なくとも２つの前記単色で構成されており、
前記関連付けとして、前記面積比率が等分の前記配色の前記座標空間上の配置位置と、前記配色を構成する各単色の前記座標空間上の配置位置とを結ぶ線分のデータを有し、
前記線分は、前記単色の内の一つの単色の面積比率を増加させると共に、残りの単色の合計の面積比率を減少させた場合の各配色の配置位置を繋いだ線分であることを特徴とする、上記第２又は第３の本発明のカラーイメージスケールである。【００３１】
また、第５の本発明は、
前記配色は３つ以上の前記単色で構成されており、
前記残りの単色の合計の面積比率を減少させる場合、前記残りの単色を均等の面積比率で減少させたことを特徴とする、上記第４の本発明のカラーイメージスケールである。【００３２】
また、第６の本発明は、
前記補間関数は、線形近似関数、指数近似関数、対数近似関数、多項式近似関数の何れかであることを特徴とする、上記第３の本発明のカラーイメージスケールである。【００３３】
また、第７の本発明は、
上記第１の本発明のカラーイメージスケールを格納する格納部と、
前記単色及び前記配色の全部又は一部を前記座標空間上に表示し、更に、それら表示された前記単色及び前記配色の内の少なくとも一部の前記単色及び前記配色に対応する前記感性語を前記座標空間上に表示する表示部と、
を備えたことを特徴とする、カラーイメージスケール表示装置である。【００３４】
また、第８の本発明は、
前記等分の面積比率で隣接配列した前記配色と、前記非等分の面積比率で隣接配列した前記配色と、前記配色を構成する各単色とが、互いに前記座標空間上で関連付けられていることを特徴とする、上記第７の本発明のカラーイメージスケール表示装置である。【００３５】
また、第９の本発明は、
前記表示部に表示されている前記配色の位置とは異なる位置を指示する位置指示部と、
前記位置指示部で指示された前記座標空間上の前記異なる位置に対応する前記配色を構成する前記単色の面積比率を得て、前記得られた面積比率と、その面積比率で表した前記配色とを、表す表示用データを生成するデータ生成部とを備え、
前記生成した表示用データを前記表示部に表示することを特徴とする、上記第８の本発明のカラーイメージスケール表示装置である。【００３６】
また、第１０の本発明は、
前記配色は少なくとも２つの前記単色で構成されており、
前記関連付けとして、前記面積比率が等分の前記配色の前記座標空間上の配置位置と、前記配色を構成する各単色の前記座標空間上の配置位置とを結ぶ線分のデータを有し、
前記線分は、前記単色の内の一つの単色の面積比率を増加させると共に、残りの単色の合計の面積比率を減少させた場合の各配色の配置位置を繋いだ線分であり、
前記表示部は、前記線分を表示することを特徴とする、上記第８又は第９の本発明のカラーイメージスケール表示装置である。【００３７】
また、第１１の本発明は、
前記配色は３つ以上の前記単色で構成されており、
前記残りの単色の合計の面積比率を減少させる場合、前記残りの単色を均等の面積比率で減少させるものであり、
前記表示部は、前記線分を表示することを特徴とする、上記第１０の本発明のカラーイメージスケール表示装置である。【００３８】
また、第１２の本発明は、
前記感性語を入力する感性語入力部と、
前記入力された感性語に対応する一つ又は複数種類の前記配色の内の一種類の配色と、その配色を構成する前記単色とが前記表示部に表示されている場合において、前記表示部の表示内容を切り替える表示切り替え指示部とを備え、
前記表示切り替え指示部から切り替え指示を受けた場合、前記表示部は、前記一種類の配色と同じ感性語を共有する別の種類の配色と、前記別の種類の配色を構成する各単色とを表示することを特徴とする、上記第８〜第１１の何れかの本発明のカラーイメージスケール表示装置である。【００３９】
また、第１３の本発明は、
上記第１の本発明のカラーイメージスケールを格納する格納部を有するカラーイメージスケール表示装置を利用して、前記単色及び前記配色の全部又は一部を前記座標空間上に表示し、更に、それら表示された前記単色及び前記配色の内の少なくとも一部の前記単色及び前記配色に対応する前記感性語を前記座標空間上に表示する表示ステップを備えたことを特徴とする、カラーイメージスケール表示方法である。【００４０】
また、第１４の本発明は、
上記第１３の本発明のカラーイメージスケール表示方法の、前記表示ステップをコンピュータに実行させるプログラムである。【００４１】
また、第１５の本発明は、
上記第１４の本発明のプログラムを記録した記録媒体であって、コンピュータにより処理可能な記録媒体である。
【発明の効果】
【００４２】
本発明によれば、異なる単色を隣接配列してなる配色を構成する各単色の面積比率が変化した場合に、どの心理軸に影響を与えるのかを容易に把握できるという効果を発揮する。
【図面の簡単な説明】
【００４３】
【図１】本発明にかかる実施の形態１で用いる単色１３０色をウォーム−クール、ソフト−ハードの２軸の平面座標空間で示した図
【図２】（ａ）本発明にかかる実施の形態１で用いる単色１３０色をウォーム−クール、ソフト−ハード、クリア−グレイッシュの３軸の立体座標空間に配置した図、（ｂ）図２（ａ）に示す立体座標空間の部分拡大図
【図３】本発明にかかる実施の形態１で用いる配色１８００種の中から選んだ代表的な配色と感性語をウォーム−クール、ソフト−ハードの２軸の平面座標空間で示した図
【図４】本発明にかかる実施の形態１で用いる配色１８００種の中から選んだ代表的な配色と感性語をウォーム−クール、ソフト−ハード、クリア−グレイッシュの３軸の立体座標空間に配置した図
【図５】本発明にかかる実施の形態１において、３色配色の立体座標空間内における心理的な位置の典型的なパターン１（３点内）を示した図
【図６】（ａ）視線方向を示す図、（ｂ）クリア−グレイッシュ軸のクリア方向から見た典型的なパターン１の位置を表した図
【図７】（ａ）視線方向を示す図、（ｂ）ウォーム−クール軸のクール方向から見た典型的なパターン１の位置を表した図
【図８】（ａ）視線方向を示す図、（ｂ）ソフト−ハード軸のソフト方向から見た典型的なパターン１の位置を表した図
【図９】本発明にかかる実施の形態１において、３色配色の立体座標空間内における心理的な位置の典型的なパターン２（周辺上）を示した図
【図１０】（ａ）視線方向を示す図、（ｂ）クリア−グレイッシュ軸のクリア方向から見た典型的なパターン２の位置を表した図
【図１１】（ａ）視線方向を示す図、（ｂ）ウォーム−クール軸のクール方向から見た典型的なパターン２の位置を表した図
【図１２】（ａ）視線方向を示す図、（ｂ）ソフト−ハード軸のソフト方向から見た典型的なパターン２の位置を表した図
【図１３】本発明にかかる実施の形態１において、３色配色の立体座標空間内における心理的な位置の典型的なパターン３（３点外）を示した図
【図１４】（ａ）視線方向を示す図、（ｂ）クリア−グレイッシュ軸のクリア方向から見た典型的なパターン３の位置を表した図
【図１５】（ａ）視線方向を示す図、（ｂ）ウォーム−クール軸のクール方向から見た典型的なパターン３の位置を表した図
【図１６】（ａ）視線方向を示す図、（ｂ）ソフト−ハード軸のソフト方向から見た典型的なパターン３の位置を表した図
【図１７】本実施の形態１の典型的なパターン１について、配色の感性的イメージがどの様に変化するかを示すカラーイメージスケールの図
【図１８】本実施の形態１の典型的なパターン２について、配色の感性的イメージがどの様に変化するかを示すカラーイメージスケールの図
【図１９】本実施の形態１の典型的なパターン３について、配色の感性的イメージがどの様に変化するかを示すカラーイメージスケールの図
【図２０】本実施の形態１の典型的なパターン１について、配色の面積比率の変化を示すカラーイメージスケールの図
【図２１】本実施の形態１の典型的なパターン２について、配色の面積比率の変化を示すカラーイメージスケールの図
【図２２】本実施の形態１の典型的なパターン３について、配色の面積比率の変化を示すカラーイメージスケールの図
【図２３】本実施の形態１の典型的なパターン１について、配色の面積比率の変化を関数で示したカラーイメージスケールの図
【図２４】本実施の形態１の典型的なパターン２について、配色の面積比率の変化を関数で示したカラーイメージスケールの図
【図２５】本実施の形態１の典型的なパターン３について、配色の面積比率の変化を関数で示したカラーイメージスケールの図
【図２６】本発明の実施の形態２のカラーイメージスケール表示装置の構成を示すブロック図
【図２７】本実施の形態２の感性語データベースの構成を示す模式図
【図２８】本実施の形態２の表示部のモニタの表示内容の一例を示した図
【図２９】本実施の形態２の表示部に表示されている３色等分配列からなる配色の位置とは異なる位置を指示した場合の表示部のモニタの表示内容の一例を示した図
【発明を実施するための形態】
【００４４】
以下に、図面を参照しながら本発明のカラーイメージスケール、カラーイメージスケール表示装置、カラーイメージスケール表示方法、プログラム、及び記録媒体に係る一実施の形態について説明する。
【００４５】
（実施の形態１）
図１〜図２５を用いて、本実施の形態１のカラーイメージスケールについて説明する。
【００４６】
図１は、本実施の形態１におけるカラーイメージスケールに用いる３軸のうちの２軸に単色の１３０色（図中において□印で各色の位置を示し、その近傍に有彩色には色相／トーン、無彩色にはマンセル表示に従ってＮ（Ｎｅｕｔｒａｌ）と明度値で示した）を配置した図である。
【００４７】
図２（ａ）は、本実施の形態１におけるカラーイメージスケールに用いる３軸からなる立体座標空間を示す模式図であり、単色の１３０色（図中において○印で各色の位置を示し、その近傍に有彩色には色相／トーン、無彩色にはマンセル表示に従ってＮ（Ｎｅｕｔｒａｌ）と明度値で示した）を配置した図であり、図２（ｂ）は、図２（ａ）に示す立体座標空間において四角枠Ｓで囲んだ部分の拡大図である。ここで、３軸は、ウォーム−クール軸、ソフト−ハード軸、及びクリア−グレイッシュ軸から構成されている。また、これら単色の立体座標空間上の位置付けの方法は、ＳＤ法調査結果と因子分析の因子得点を基準としている。
【００４８】
また、図３は、本実施の形態１で用いる配色１８００種の中から選んだ代表的な配色と感性語をウォーム−クール、ソフト−ハードの２軸の平面座標空間で示した図であり、図４は、本実施の形態１で用いる配色１８００種の中から選んだ代表的な配色と感性語をウォーム−クール、ソフト−ハード、クリア−グレイッシュの３軸の立体座標空間に配置した図である。
【００４９】
尚、本発明の少なくとも３種類の感性的イメージにそれぞれ対応する少なくとも３つの座標軸の一例が、本実施の形態のウォーム−クール軸、ソフト−ハード軸、及びクリア−グレイッシュ軸（心理軸とも呼ぶ）に対応する。
【００５０】
また、図５以降において示す３色配色（各単色の面積比率が等分の配色と、非等分の配色（但し、図２９の位置Ｐにおける配色を除く）の両方を含む）の立体座標空間上の位置は、単色の立体座標空間上の位置を基本に、感性語に対応する配色がどのような因子（色相因子、トーン因子、派手地味因子）で構成されているかを研究、検証しながら、複数の被験者を対象にした心理学的な分析データに基づいて決めた。
【００５１】
尚、人々が単色又は配色に対して抱くイメージには、共通の感覚があることが心理学的な分析結果から分かっている（例えば、非特許文献２参照）。そこで、ウォーム−クール軸、ソフト−ハード軸、及びクリア−グレイッシュ軸の３つの心理軸をもとに、単色や配色のイメージを的確に表現する形容詞を１８０語（例えば、非特許文献２のイメージ語を参照）に絞り込んだものを本願明細書では感性語と呼び、イメージを単色又は配色で表現する場合に、被験者が最も高頻度に使用する感性語を分析した結果に基づいて、各単色、及び、３色配色に対して感性語を対応付けている。また、一つの感性語に対応する単色や配色は一つとは限らず、複数の単色又は配色が対応する場合もある。
【００５２】
本実施の形態で使用している３色の単色の立体座標空間上のそれぞれの位置と、３色配色そのものの位置は、使う色の色相とトーンの違いにより、幾つかの法則性をもって位置づけられていることが分かった。
【００５３】
本発明のカラーイメージスケールの一実施の形態を説明する前に、先ず、上記法則性に関して、典型的な３つのパターン（パターン１〜パターン３）について、図５〜図１６を用いて具体的に説明する。図５〜図１６で示した配色は、それを構成する各単色の面積比率は等分とした。
【００５４】
尚、本明細書では、単色及び配色を図示する場合、明細書における説明の都合上、図中において各単色の輪郭を明確に表すために、黒の実線で各単色を囲んで表したり、配色において隣接する各単色の境界に黒又は白の実線を入れて表したりしたが、カラー表示する場合は、このような輪郭線や境界線は必要ではない。また、被験者を対象とした調査に用いた単色及び配色は、この様な黒や白の実線による輪郭線や境界線は用いていない。
【００５５】
１−１）パターン１について：
図５は、感性語「やさしい」に対応する第１配色１０と、その立体座標空間上の位置と、その第１配色１０を構成する各単色１０ａ、１０ｂ、１０ｃと、それらの立体座標空間上の位置について示した図である。同図では、「配色の配列」に明示した通り、第１配色１０を構成する各単色１０ａ、１０ｂ、１０ｃの各色が、左から右へ同じ面積比率でそれぞれ隣接配列されている。ここで、各単色１０ａ〜１０ｃを色相／トーンで示し、且つ、色名として通常慣用的に使われている和名で示すと、単色１０ａはＲ（赤系）／Ｖｐ（ベリーペール・トーン）、「さくら色」であり、単色１０ｂはＲ（赤系）／Ｌ（ライト・トーン）、「樹皮色」であり、単色１０ｃはＲＰ（赤紫系）／Ｇｒ（グレイッシュ・トーン）、「桜ねずみ」である。尚、他の図についても、図中に示した配色を構成する各色の配列を、「配色の配列」として明記した。
【００５６】
この様な彩度の低い類似の色相とトーンで構成される配色は、それを構成する３色１０ａ〜１０ｃの位置を結ぶ三角形１１の中に配置される傾向になる。配色の効果は、単色の範囲内でまとまり、グラデーション（漸変効果）として表現されることになる。
【００５７】
図６（ｂ）は、クリア−グレイッシュ軸のクリア方向から見た（図６（ａ）参照）、感性語「やさしい」に対応する第１配色１０の位置と、各単色１０ａ〜１０ｃの位置を表した図である。
【００５８】
図７（ｂ）は、ウォーム−クール軸のクール方向から見た（図７（ａ）参照）、感性語「やさしい」に対応する第１配色１０の位置と、各単色１０ａ〜１０ｃの位置を表した図である。
【００５９】
図８（ｂ）は、ソフト−ハード軸のソフト方向から見た（図８（ａ）参照）、感性語「やさしい」に対応する第１配色１０の位置と、各単色１０ａ〜１０ｃの位置を表した図である。
【００６０】
尚、図６（ａ）、図７（ａ）、図８（ａ）は視線方向を示す図である。
【００６１】
１−２）パターン２について：
図９は、感性語「気軽な」に対応する第２配色２０の立体座標空間上の位置と、その第２配色２０を構成する各単色２０ａ、２０ｂ、２０ｃの立体座標空間上の位置について示した図である。同図では、「配色の配列」に明示した通り、第２配色２０を構成する各単色２０ａ、２０ｂ、２０ｃの各色が、左から右へ同じ面積比率でそれぞれ隣接配列されている。ここで、各単色２０ａ〜２０ｃを色相／トーンで示し、且つ、色名として通常慣用的に使われている和名で示すと、単色２０ａはＹＲ（橙系）／Ｐ（ペール・トーン）、「夕陽色」であり、単色２０ｂはＲ（赤系）／Ｖｐ（ベリーペール・トーン）、「さくら色」であり、単色２０ｃはＧＹ（黄緑系）／Ｌｇｒ（ライトグレイッシュ・トーン）、「利休ねずみ」である。
【００６２】
この様に、配色を構成している単色の彩度が上がると色相の効果が作用し、３色２０ａ〜２０ｃの位置を結ぶ三角形２１の一辺の周辺付近に位置するものもある。
【００６３】
図１０（ｂ）は、クリア−グレイッシュ軸のクリア方向から見た（図１０（ａ）参照）、感性語「気軽な」に対応する第２配色２０の位置と各単色２０ａ〜２０ｃの位置を表している図である。
【００６４】
図１１（ｂ）は、ウォーム−クール軸のクール方向から見た（図１１（ａ）参照）、感性語「気軽な」に対応する第２配色２０の位置と各単色２０ａ〜２０ｃの位置を表している図である。
【００６５】
図１２（ｂ）は、ソフト−ハード軸のソフト方向から見た（図１２（ａ）参照）、感性語「気軽な」に対応する第２配色２０の位置と各単色２０ａ〜２０ｃの位置を表している図である。
【００６６】
１−３）パターン３について：
図１３は、感性語「大胆な」に対応する第３配色３０の立体座標空間上の位置と、その第３配色３０を構成する各単色３０ａ、３０ｂ、３０ｃの立体座標空間上の位置について示した図である。同図では、「配色の配列」に明示した通り、第３配色３０を構成する各単色３０ａ、３０ｂ、３０ｃの各色が、左から右へ同じ面積比率でそれぞれ隣接配列されている。ここで、各単色３０ａ、３０ｃを色相／トーンで示し、無彩色である単色３０ｂをマンセル表示に従ってＮと明度値で示し、且つ、色名として通常慣用的に使われている和名で示すと、単色３０ａはＲ（赤系）／Ｖ（ビビッド・トーン）、「赤色」であり、単色３０ｂはＮ１．５、「黒色」であり、単色３０ｃはＹ（黄系）／Ｖ（ビビッド・トーン）、「黄色」である。
【００６７】
この様に、配色を構成する単色において彩度が高い色を使った場合、色相の組み合わせ効果と明度の対比効果により、配色は、各単色の位置を結んで形成される三角形の領域外に配置されることになる。
【００６８】
この例では、第３配色３０は、その座標空間上の位置から見ても、赤と黄色の組み合わせ効果により「Ｗａｒｍ感」が強調されており、且つ、黒と赤、黒と黄の組み合わせで「Ｈａｒｄ感」が強調されていることが分かる。
【００６９】
その結果、第３配色３０の位置は、それを構成する各単色３０ａ〜３０ｃの位置を結んで形成される三角形３１の領域から外れている。これは上述した通り、黒と赤の対比効果により、「Ｗａｒｍ感」と「Ｈａｒｄ感」が強調されるためである。
【００７０】
図１４（ｂ）は、クリア−グレイッシュ軸のクリア方向から見た（図１４（ａ）参照）、感性語「大胆な」に対応する第３配色３０の位置と各単色３０ａ〜３０ｃの位置を表している図である。
【００７１】
図１５（ｂ）は、ウォーム−クール軸のクール方向から見た（図１５（ａ）参照）、感性語「大胆な」に対応する第３配色３０の位置と各単色３０ａ〜３０ｃの位置を表している図である。
【００７２】
図１６（ｂ）は、ソフト−ハード軸のソフト方向から見た（図１６（ａ）参照）、感性語「大胆な」に対応する第３配色３０の位置と各単色３０ａ〜３０ｃの位置を表している図である。
【００７３】
次に、本発明のカラーイメージスケールの一実施の形態として、配色を構成する各単色の面積比率を変化させた場合、座標空間上での位置、即ち、座標空間上でのその配色の感性的イメージがどの様に変化するかについて、図１７〜図１９を用いて具体的に説明する。
【００７４】
ここで、図１７は、典型的なパターン１について、配色の感性的イメージがどの様に変化するかを示すカラーイメージスケールの図である。図１８は、典型的なパターン２について、配色の感性的イメージがどの様に変化するかを示すカラーイメージスケールの図である。図１９は、典型的なパターン２について、配色の感性的イメージがどの様に変化するかを示すカラーイメージスケールの図である。尚、図１９では、３色配列を黒の実線で囲み、隣接配列した単色（Ｒ／Ｖ）と単色（Ｎ１．５）と単色（Ｙ／Ｖ）のそれぞれの境界を明確に示すために、説明の都合上、白の実線の境界線を入れて表示したが、上述した通り、カラー表示する場合は、このような輪郭線や境界線は必要ではない。他の図面についても同様である。
【００７５】
尚、ここでは、配色を構成する各単色の面積比率を変更する場合、３つの単色の内の一つの単色の面積比率を増加させると共に、残りの二つの単色を均等の面積比率で減少させるものとするが、変化のさせ方はこれに限らない。
【００７６】
配色において各単色の面積比率の変化を考えた場合、「比率が増加する単色に対応する感性語のイメージ（本明細書では、単に、「単色のイメージ」とも呼ぶ）のウエイトが増す」ものと考えられる。
【００７７】
２−１）パターン１について：
ここでは、図１７を用いて、上述したパターン１の一例である「やさしい」という感性語の第１配色１０について説明する。
【００７８】
「やさしい」という感性語の第１配色１０は、それを構成する各単色１０ａ〜１０ｃの面積比率が、それぞれ均等の１／３で構成されている場合、類似の色相、類似のトーンで配色が構成されているため、面積比率を変えても、各単色１０ａ〜１０ｃの位置を結ぶ三角形１１の領域内で変化し、三角形１１の領域から大きく外れることは無い。
【００７９】
具体的には、図１７の場合、第１配色１０を構成する単色１０ａ（Ｒ／Ｖｐ）の面積比率を増加させて、残りの単色１０ｂと１０ｃの面積比率を均等に減少させた場合の第１ａ配色１０／１０ａは、単色１０ａ（Ｒ／Ｖｐ）に対応する感性語の「甘美な」、「温和な」というイメージが強まり、単色１０ａ（Ｒ／Ｖｐ）のイメージに近づく。
【００８０】
また、第１配色１０を構成する単色１０ｂ（Ｒ／Ｌ）の面積比率を増加させて、残りの単色１０ａと１０ｃの面積比率を均等に減少させた場合の第１ｂ配色１０／１０ｂは、単色１０ｂ（Ｒ／Ｌ）に対応する感性語の「なごやかな」、「温和な」、「マイルドな」というイメージが強まり、単色１０ｂ（Ｒ／Ｌ）のイメージに近づく。
【００８１】
また、第１配色１０を構成する単色１０ｃ（ＲＰ／Ｇｒ）の面積比率を増加させて、残りの単色１０ａと１０ｂの面積比率を均等に減少させた場合の第１ｃ配色１０／１０ｃは、単色１０ｃ（ＲＰ／Ｇｒ）に対応する感性語の「古風な」というイメージが強まり、単色１０ｃ（ＲＰ／Ｇｒ）のイメージに近づく。
【００８２】
尚、図１７では、本実施の形態の理解を助けるために、第１配色１０を構成する各単色１０ａ〜１０ｃの各色の面積比率をそれぞれ変更した場合の第１ａ配色１０／１０ａ〜第１ｃ配色１０／１０ｃのそれぞれの配色の近傍に、各色の面積比率の違いを分かり易く表した「配色の配列」を明示した。
【００８３】
２−２）パターン２について：
ここでは、図１８を用いて、上述したパターン２の一例である「気軽な」という感性語の第２配色２０について説明する。
【００８４】
配色の組み合わせによれば、「きわだち配色効果」、「セパレーションの配色効果」、「高彩度の色相の組み合わせ方」などの要因が働き、各単色の位置を結んで形成される三角形の領域の外に出ることがある。
【００８５】
「気軽な」という感性語の第２配色２０は、それを構成する各単色２０ａ〜２０ｃの面積比率が、それぞれ均等の１／３で構成されている場合、色相の組み合わせ効果により、「Ｗａｒｍ感」が強調されるので、三角形２１の中心からややずれるため、各単色１０ａ〜１０ｃの位置を結ぶ三角形２１の一辺の周辺付近に位置することは上述した通りである。
【００８６】
そして、図１８では、第２配色２０を構成する単色２０ａ（ＹＲ／Ｐ）の面積比率を増加させて、残りの単色２０ｂと２０ｃの面積比率を均等に減少させた場合の第２ａ配色２０／２０ａは、単色２０ａ（ＹＲ／Ｐ）に対応する感性語の「気軽な」、「親しみやすい」というイメージが強まり、単色２０ａ（ＹＲ／Ｐ）のイメージに近づく。
【００８７】
また、第２配色２０を構成する単色２０ｂ（Ｒ／Ｖｐ）の面積比率を増加させて、残りの単色２０ａと２０ｃの面積比率を均等に減少させた場合の第２ｂ配色２０／２０ｂは、単色２０ｂ（Ｒ／Ｖｐ）に対応する感性語の「甘美な」、「温和な」というイメージが強まり、単色２０ｂ（Ｒ／Ｖｐ）のイメージに近づく。
【００８８】
また、第２配色２０を構成する単色２０ｃ（ＧＹ／Ｌｇｒ）の面積比率を増加させて、残りの単色２０ａと２０ｂの面積比率を均等に減少させた場合の第２ｃ配色２０／２０ｃは、単色２０ｃ（ＧＹ／Ｌｇｒ）に対応する感性語の「簡素な」、「自然な」というイメージが強まり、単色２０ｃ（ＧＹ／Ｌｇｒ）のイメージに近づく。
【００８９】
２−３）パターン３について：
ここでは、図１９を用いて、上述したパターン３の一例である「大胆な」という感性語の第３配色３０について説明する。
【００９０】
「大胆な」という感性語の第２配色３０は、それを構成する各単色３０ａ〜３０ｃが、それぞれ均等の１／３で構成されている場合、暖色である単色３０ａ（Ｒ／Ｖ）と、単色３０ｃ（Ｙ／Ｖ）の組み合わせ効果と、黒（単色３０ｂ）と赤（単色３０ａ）の対比効果によって、各単色３０ａ〜３０ｃの位置を結ぶ三角形３１の領域外に位置する。
【００９１】
そして、第３配色３０を構成する各単色の面積比率が変化すると、図１９に示す通り、その配色３０／３０ａ、３０／３０ｂ、３０／３０ｃは座標空間上を弧を描くように位置が変化する。
【００９２】
図１９では、第３配色３０を構成する単色３０ａ（Ｒ／Ｖ）の面積比率を増加させて、残りの単色３０ｂと３０ｃの面積比率を均等に減少させた場合の第３ａ配色３０／３０ａは、単色３０ａ（Ｒ／Ｖ）に対応する感性語の「アクティブな」、「エネルギッシュな」、「躍動的な」というイメージが強まり、単色３０ａ（Ｒ／Ｖ）のイメージに弧を描く様に近づく。
【００９３】
また、第３配色３０を構成する単色３０ｂ（Ｎ１．５）の面積比率を増加させて、残りの単色３０ａと３０ｃの面積比率を均等に減少させた場合の第３ｂ配色３０／３０ｂは、単色３０ｂ（Ｎ１．５）に対応する感性語の「力強く」、「ダイナミックな」、「シャープな」というイメージが強まり、単色３０ｂ（Ｎ１．５）のイメージに弧を描く様に近づく。
【００９４】
また、第３配色３０を構成する単色３０ｃ（Ｙ／Ｖ）の面積比率を増加させて、残りの単色３０ａと３０ｂの面積比率を均等に減少させた場合の第３ｃ配色３０／３０ｃは、単色３０ｃ（Ｙ／Ｖ）に対応する感性語の「にぎやかな」、「あざやかな」、「はつらつとした」というイメージが強まり、単色３０ｃ（Ｙ／Ｖ）のイメージに弧を描く様に近づく。
【００９５】
以上説明した通り、配色を構成する各単色の面積比率が変化した場合、その変化後の配色の座標空間上での位置の変化の仕方は一定ではなく、容易に推測出来ない。
【００９６】
即ち、配色を構成する各単色の面積比率が変化した場合、感性的なイメージが変化することは想像出来たとしても、図１７〜図１９等に示す様に、様々な要因により、単純に各単色のイメージに近づくことにはならない。よって、配色のノウハウを持っていない場合は、変化する感性的なイメージを推定することは非常に困難である。
【００９７】
従って、この場合において、少なくとも配色の位置の変化の仕方の傾向がおおよそ推測出来る程度に面積比率を様々に変えた配色を用意して、被験者を対象としてデータを収集し、座標空間上でのそれぞれの位置や感性的なイメージの変化を精緻に分析する必要がある。
【００９８】
尚、図１７〜図１９において、３色の単色からなる配色を構成する各単色の面積比率の変化に伴って、その変化後の配色に対応する感性語の質が、３方向に変化することが示されている。
【００９９】
本発明のカラーイメージスケールの一例である本実施の形態では、配色を構成する各単色の面積比率が変化した場合の、変化後の配色の座標空間上での位置の変化を、被験者から得られた心理学的な分析データに基づいて、定量化し、配色のノウハウを有していない人でも、配色を扱い易いものにした。
【０１００】
以下、この点について、図２０〜図２５を用いて、更に具体的に説明する。  図２０は、感性語「やさしい」に対応する第１配色１０を構成する各単色の面積比率が等分の場合の座標値、及びその第１配色１０を構成する各単色の面積比率を変化させた場合の、各単色の面積比率、及び変化後の配色とその座標値を示すカラーイメージスケールの図である。
【０１０１】
例えば、図２０の第１ｃ１配色１０／１０ｃ１は、面積比率が２５／２５／５０であり、座標値が（−２５，２５，−３５）であることを示している。ここで、面積比率が２５／２５／５０とは、単色１０ａ（Ｒ／Ｖｐ）と単色１０ｂ（Ｒ／Ｌ）の面積比率をそれぞれ２５％とし、単色１０ｃ（ＲＰ／Ｇｒ）の面積比率を５０％とした配色であることを意味しており、また、座標値が（−２５，２５，−３５）であるとは、この第１ｃ１配色１０／１０ｃ１は、その配色について、被験者から得られた心理学的な分析データに基づいて決定した座標空間上の座標値が、（−２５，２５，−３５）の左から右への順番で、ウォーム−クール軸、ソフト−ハード軸、及びクリア−グレイッシュ軸の各座標軸上の座標値であることを意味している。
【０１０２】
図２０では、第１配色１０を構成する各単色（Ｒ／Ｖｐ、Ｒ／Ｌ、ＲＰ／Ｇｒ）の面積比率を、一つの色について５０％、６０％、７０％、１００％に順次増加させ、且つ残りの二つの色について均等の面積比率で２５％、２０％、１５％、０％に順次減少させたときの、それぞれの配色と、それら配色について、被験者から得られた心理学的な分析データに基づいて決定した座標空間上の座標値と、その座標空間上での位置（図中●印で示した）とを示している。
【０１０３】
図２０に示す通り、感性語「やさしい」については、各配色の座標値は、各単色の位置を結んで形成される三角形１１の領域内にあり、それら面積比率が変化した各配色は、第１配色１０と各単色を結ぶ３つの直線（第１ａ直線１２，第１ｂ直線１３，第１ｃ直線１４）上に概ね位置することが分かる。
【０１０４】
これら３つの曲線は、面積比率が変化した場合の配色の座標空間上での位置を把握するための近似関数（補間関数）として表現することも可能である。これについては更に後述する。
【０１０５】
次に、図２１は、感性語「気軽な」に対応する第２配色２０を構成する各単色の面積比率が等分の場合の座標値、及びその第２配色２０を構成する各単色の面積比率を変化させた場合の、各単色の面積比率、及び変化後の配色とその座標値を示すカラーイメージスケールの図である。
【０１０６】
例えば、図２１の第２ａ１配色２０／２０ａ１は、面積比率が５０／２５／２５であり、座標値が（−４２，１９２，１５１）であることを示している。
【０１０７】
ここで、面積比率が５０／２５／２５とは、単色２０ａ（ＹＲ／Ｐ）の面積比率を５０％として、単色２０ｂ（Ｒ／Ｖｐ）と単色２０ｃ（ＧＹ／Ｌｇｒ）の面積比率をそれぞれ２５％とした配色であることを意味しており、また、座標値が（−４２，１９２，１５１）であるとは、この第２ａ１配色２０／２０ａ１は、その配色について、被験者から得られた心理学的な分析データに基づいて決定した座標空間上の座標値が、（−４２，１９２，１５１）の左から右への順番で、ウォーム−クール軸、ソフト−ハード軸、及びクリア−グレイッシュ軸の各座標軸上の座標値であることを意味している。
【０１０８】
図２１では、第２配色２０を構成する各単色（ＹＲ／Ｐ、Ｒ／Ｖｐ、ＧＹ／Ｌｇｒ）の面積比率を、一つの色について５０％、６０％、７０％、１００％に順次増加させ、且つ残りの二つの色について均等の面積比率で２５％、２０％、１５％、０％に順次減少させたときの、それぞれの配色と、それら配色について、被験者から得られた心理学的な分析データに基づいて決定した座標空間上の座標値と、その座標空間上での位置とを示している。
【０１０９】
図２１に示す通り、感性語「気軽な」については、各配色の座標値は、各単色の位置を結んで形成される三角形２１の一辺の周辺上にあり、それら面積比率が変化した各配色は、第２配色２０と各単色を結ぶ３つの直線（第２ａ直線２２，第２ｂ直線２３，第２ｃ直線２４）上に概ね位置することが分かる。
【０１１０】
これら３つの曲線は、面積比率が変化した場合の配色の座標空間上での位置を把握するための近似関数（補間関数）として表現することも可能である。これについては更に後述する。
【０１１１】
次に、図２２は、感性語「大胆な」に対応する第３配色３０を構成する各単色の面積比率が等分の場合の座標値、及びその第３配色３０を構成する各単色の面積比率を変化させた場合の、各単色の面積比率、及び変化後の配色とその座標値を示すカラーイメージスケールの図である。
【０１１２】
例えば、図２２の第３ａ１配色３０／３０ａ１は、面積比率が５０／２５／２５であり、座標値が（−１３５，−２０，６８）であることを示している。
【０１１３】
ここで、面積比率が５０／２５／２５とは、単色３０ａ（Ｒ／Ｖ）の面積比率を５０％として、単色３０ｂ（Ｎ１．５）と単色３０ｃ（Ｙ／Ｖ）の面積比率をそれぞれ２５％とした配色であることを意味しており、また、座標値が（−１３５，−２０，６８）であるとは、この第３ａ１配色３０／３０ａ１は、その配色について、被験者から得られた心理学的な分析データに基づいて決定した座標空間上の座標値が、（−１３５，−２０，６８）の左から右への順番で、ウォーム−クール軸、ソフト−ハード軸、及びクリア−グレイッシュ軸の各座標軸上の座標値であることを意味している。
【０１１４】
図２２では、第３配色３０を構成する各単色（Ｒ／Ｖ、Ｎ１．５、Ｙ／Ｖ）の面積比率を、一つの色について５０％、６０％、７０％、１００％に順次増加させ、且つ残りの二つの色について均等の面積比率で２５％、２０％、１５％、０％に順次減少させたときの、それぞれの配色と、それら配色について、被験者から得られた心理学的な分析データに基づいて決定した座標空間上の座標値と、その座標空間上での位置とを示している。
【０１１５】
図２２に示す通り、感性語「大胆な」については、各配色の座標値は、各単色の位置を結んで形成される三角形３１の領域の外にあり、それら面積比率が変化した各配色は、第３配色３０と各単色を結ぶ３つの曲線（第３ａ曲線３２，第３ｂ曲線３３，第３ｃ曲線３４）上に概ね位置することが分かる。
【０１１６】
これら３つの曲線は、面積比率が変化した場合の配色の座標空間上での位置を把握するための近似関数（補間関数）として表現することも可能である。これについては更に後述する。
【０１１７】
尚、本発明の線分の一例が、図２０〜図２２において示された３つの直線及び曲線に該当する。
【０１１８】
上述した通り、図２０〜図２２では、代表的な３つのパターンのそれぞれについて、配色を構成する各単色の面積比率を変更した場合、それら配色の座標空間上での位置がどの様に変化するか、即ち変化の方向を先端に矢印の付いた線分（直線、又は曲線）で示している。
【０１１９】
尚、これらの図に示した配色に限らず、例えば別の単色をその面積比率を等分、及び非等分で隣接配列した配色について、上記の代表的な配色の場合と同様に、被験者から得られた心理学的な分析データに基づいて座標空間上の座標値を決定することが可能であり、それらの配色について感性的イメージがどの様に変化するかを座標空間上に先端に矢印の付いた線分（直線、又は曲線）で示すことが出来る。
【０１２０】
また、上述した通り、先端に矢印の付いた線分（直線、又は曲線）を関数で表現することも可能である。これについては、図２３〜図２５を用いて更に説明する。
【０１２１】
即ち、この場合、被験者から得られた心理学的な分析データから、各配色毎に最適な近似関数を割り出しておくことにより、被験者に対して調査していない面積比率の配色についても、座標空間上での位置を近似関数から求め、その位置での面積比率を求めることが可能となる。
【０１２２】
図２３では、感性語「やさしい」に対応する第１配色１０を構成する各単色の面積比率が等分の場合の座標値（−２８，４５，−２５）から、第１配色１０を構成する各単色の面積比率を図２０で説明したものと同様の条件（即ち、一つの色についてその面積比率を順次増加させ、且つ残りの二つの色について均等の面積比率で順次減少させる）で変化させた場合の、変化後の配色の座標空間上の位置を関数Ａ、関数Ｂ、関数Ｃで表した。
【０１２３】
図２４では、感性語「気軽な」に対応する第２配色２０を構成する各単色の面積比率が等分の場合の座標値（−１０，１１０，１４０）から、第２配色２０を構成する各単色の面積比率を図２１で説明したものと同様の条件（即ち、一つの色についてその面積比率を順次増加させ、且つ残りの二つの色について均等の面積比率で順次減少させる）で変化させた場合の、変化後の配色の座標空間上の位置を関数Ｄ、関数Ｅ、関数Ｆで表した。
【０１２４】
図２５では、感性語「大胆な」に対応する第３配色３０を構成する各単色の面積比率が等分の場合の座標値（−１３０，−６０，７０）から、第３配色３０を構成する各単色の面積比率を図２２で説明したものと同様の条件（即ち、一つの色についてその面積比率を順次増加させ、且つ残りの二つの色について均等の面積比率で順次減少させる）で変化させた場合の、変化後の配色の座標空間上の位置を関数Ｇ、関数Ｈ、関数Ｉで表した。
【０１２５】
（実施の形態２）
次に、本実施の形態２のカラーイメージスケール表示装置、及びカラーイメージスケール表示方法について説明する。
【０１２６】
まず最初に、カラーイメージスケール表示装置の構成について図２６、図２７を用いて説明する。
【０１２７】
図２６は、本実施の形態２のカラーイメージスケール表示装置１００の構成を示すブロック図である。
【０１２８】
図２６に示す通り、カラーイメージスケール表示装置１００は、複数の単色、及び３色の単色を隣接配列してなる複数の配色と、感性語等を対応付けた感性語データベース２１０を少なくとも格納したデータ記憶部２００と、配色を構成する各単色の面積比率が変化した場合に、変化後の配色の座標空間上での位置（座標値）を演算により求める近似関数３１０や、主として入力部４００やデータ生成部５００や表示部６００の機能を実現する制御プログラム３２０等を格納した主記憶部３００と、操作者が感性語を入力したり、表示画面上での位置を指示したり、あるいは表示画面上の表示内容の切り替えを指示する等を行う入力部４００と、データ記憶部２００や主記憶部３００からのデータに基づいて、表示用データを生成するデータ生成部５００と、データ生成部５００で生成されたデータをモニタ（図示省略）に表示する表示部６００とを備えている。
【０１２９】
データ記憶部２００に格納された感性語データベース２１０は、代表色１３０色の単色、及びその中の３色の単色を隣接配列してなる複数の配色に対する、予め定めた少なくとも３種類の感性的イメージ（ウォームとクール、ソフトとハード、及びクリアとグレイッシュ）に関して得られた心理学的な分析データに基づいて、単色及び配色を少なくとも３種類の感性的イメージにそれぞれ対応する少なくとも３つの座標軸（ウォーム−クール軸、ソフト−ハード軸、及びクリア−グレイッシュ軸）で構成された座標空間上に配置し、配置された単色及び配色の内の少なくとも一部の単色及び配色に対応する感性語を備えたカラーイメージスケールの一例としてのデータベースであって、配色には、配色を構成する単色の面積比率が等分の配色と非等分の配色とが含まれることを特徴としている。
【０１３０】
図２７は、感性語データベース２１０の構成を示す模式図である。
【０１３１】
感性語データベース２１０は、図２７に示す通り、「やさしい」、「気軽な」等を含む１８０種類の感性語を保持する感性語欄２１０ａと、各感性語に対応する単色及び配色の区別を使用頻度の高いものから順番に並べて保持する単色又は配色の区分欄２１０ｂと、単色及び配色の立体座標空間上での座標値を保持する座標値欄２１０ｃと、表示部６００のモニタ（図示省略）での色表示に必要なＲＧＢ系データ値欄２１０ｄと、配色を構成する各単色の面積比率を単色又は配色の区分欄２１０ｂの記載順と対応付けて保持する面積比率欄２１０ｅとを、互いに関連付けて保持する構成である。
【０１３２】
具体的には、図２７に示す通り、例えば、感性語「やさしい」に対応する単色としては、単色又は配色の区分欄２１０ｂに、使用頻度の高いものから順に「Ｒ／Ｌ」、「Ｒ／Ｌｇｒ」、「ＢＧ／Ｌｇｒ」等が保持されており、更に、例えば、単色「Ｒ／Ｌ」の右横の座標値欄２１０ｃには、単色「Ｒ／Ｌ」の座標空間上での座標値が（−６０，４０，−５０）として保持されており、その右横のＲＧＢ系データ値欄２１０ｄには、単色「Ｒ／Ｌ」のＲＧＢ系データ値が２３７：１２８：１２２として保持されており、その右横の面積比率欄２１０ｅには、１００％として保持されている。
【０１３３】
また、図２７に示す通り、感性語「やさしい」に対応する配色としては、例えば、上記実施の形態１で説明した等分比率の第１配色１０（Ｒ／Ｖｐ・Ｒ／Ｌ・ＲＰ／Ｇｒ）や非等分比率の第１ｃ１配色１０／１０ｃ１（Ｒ／Ｖｐ・Ｒ／Ｌ・ＲＰ／Ｇｒ）、第１ｃ２配色１０／１０ｃ２（Ｒ／Ｖｐ・Ｒ／Ｌ・ＲＰ／Ｇｒ）、第１ｃ３配色１０／１０ｃ３（Ｒ／Ｖｐ・Ｒ／Ｌ・ＲＰ／Ｇｒ）について、上述した単色又は配色の区分欄２１０ｂ、座標値欄２１０ｃ、ＲＧＢ系データ値欄２１０ｄにそれぞれデータが関連付けられて保持されており、且つ、面積比率欄２１０ｅには、３３％・３３％・３３％、２５％・２５％・５０％、２０％・２０％・６０％、１５％・１５％・７０％が保持されている。
【０１３４】
また、主記憶部３００には、上記実施の形態１で説明した関数Ａ〜関数Ｉが近似関数３１０として格納されていると共に、図２０〜図２２に示した、第１ａ直線１２，第１ｂ直線１３，第１ｃ直線１４と、第２ａ直線２２，第２ｂ直線２３，第２ｃ直線２４と、第３ａ曲線３２，第３ｂ曲線３３，第３ｃ曲線３４とを表示部６００のモニタ上に表示するためのデータも各配色と関連付けられて格納されている。
【０１３５】
入力部４００は、具体的には、キーボード（図示省略）やマウス（図示省略）等から構成されている。
【０１３６】
尚、本発明の格納部の一例が、本実施の形態のデータ記憶部２００に該当する。また、本発明の位置指示部の一例が、本実施の形態の入力部４００のマウスに該当し、また、本発明の感性語入力部の一例が、本実施の形態の入力部４００のキーボードに該当し、また、本発明の表示切り替え指示部の一例が、本実施の形態の入力部４００のマウスに該当する。
【０１３７】
次に、本実施の形態のカラーイメージスケール表示装置の動作を説明するとともに、本発明のカラーイメージスケール表示方法の一実施の形態についても合わせて述べる。
【０１３８】
ここでは、操作者がある製品のコンセプトに最も適した配色を決定する作業において本実施の形態のカラーイメージスケール表示装置１００を用いる場合について、図２６〜図２８等を用いて説明する。
【０１３９】
まず、操作者は、作業の種類として「配色」作業に関するものであることを入力部４００から入力する（図２６参照）。そして、作業対象となる製品のコンセプトに最も近いイメージを１８０の感性語から選び、入力部４００のキーボードを用いて入力する。
【０１４０】
例えば、感性語「やさしい」がキーボードから入力されると、入力部４００は、そのデータをデータ生成部５００に送る。データ生成部５００は、データ記憶部２００に格納されている感性語データベース２１０（図２７参照）から感性語「やさしい」に対応した「配色」の内、最も使用頻度の高いものとして、例えば、第１配色１０（Ｒ／Ｖｐ・Ｒ／Ｌ・ＲＰ／Ｇｒ）を抽出し、そのデータに関連付けられた座標値（−２８，４５，−２５）、ＲＧＢ系データ値（２５５：２１２：２００・２３７：１２８：１２２・１６５：１２９：１４５）、及び面積比率（３３％・３３％・３３％）を用いて、表示用データを生成し、表示部６００へ送り、感性語「やさしい」の文字表示と３つの座標軸（ウォーム−クール軸、ソフト−ハード軸、及びクリア−グレイッシュ軸）と共にモニタにカラー表示させる（図２８参照）。
【０１４１】
また、第１配色１０を構成する各単色１０ａ〜１０ｃについても、上記と同様に、データ生成部５００が感性データベース２１０を用いて、表示用データを生成し、モニタにカラー表示させると共に、主記憶部３００に格納されている第１ａ直線１２，第１ｂ直線１３，第１ｃ直線１４の表示用データを抽出し、モニタにカラー表示させる（図２８参照）。
【０１４２】
尚、以上が、本実施の形態のカラーイメージスケール表示方法の表示ステップの一例である。
【０１４３】
ここで、図２８は、カラーイメージスケール表示装置１００の表示部６００のモニタの表示内容の一例を示した図である。
【０１４４】
次に、操作者がモニタに表示された表示内容を見た後、同じ感性語「やさしい」を共有する別の種類の配色と、その別の種類の配色を構成する各単色とを表示させる場合は、入力部４００のマウスを用いて、モニタの表示画面上の第１配色１０が表示されている位置にカーソルを移動させた後、その位置でマウスをクリックする度に、別の種類の配色とそれを構成する各単色とが、使用頻度の高いものから低いものへと切り替わりながら順次表示される。
【０１４５】
また、入力部４００から別の感性語として例えば、「気軽な」を入力すると、その感性語「気軽な」と、感性語に対応する第２配色２０とそれを構成する各単色２０ａ〜２０ｃ、及び、第２ａ直線２２，第２ｂ直線２３，第２ｃ直線２４が表示部６００のモニタに、図２８の場合と同様に表示される。
【０１４６】
また、操作者は、モニタ画面に表示されている３つの座標軸（ウォーム−クール軸、ソフト−ハード軸、及びクリア−グレイッシュ軸）に対して、入力部４００のマウスを用いて任意の角度に回転指示を入力することが可能であり、この回転指示により、データ生成部５００は、モニタ画面に表示させるデータを回転処理して表示部６００に送る。
【０１４７】
以上の操作により、操作者は、製品のコンセプトに最も適した配色を的確且つ容易に決定することが可能となる。
【０１４８】
ところで、図２８に示す表示では、配色を構成する各単色が等分の面積比率で配列された第１配色１０と、その面積比率が各単色１０ａ〜１０ｃの方向へ向けてそれぞれ変化した場合の配色の座標空間上での位置の軌跡を線分で表示した３つの直線（第１ａ直線１２，第１ｂ直線１３，第１ｃ直線１４）と、各単色１０ａ〜１０ｃが表示されていることは上述した通りである。しかし、図２８では、３つの直線上の任意の位置に対応する面積比率が非等分の配色の座標位置と、その配色を構成する各単色の具体的な面積比率は表示されていない。
【０１４９】
そこで、次に、操作者が、例えば、図２８に示す表示内容において、３つの直線上の所望の位置での配色を画面上で確認できて、その配色を構成する各単色の面積比率を画面上に数値で表示させる場合について、図２９を用いて説明する。
【０１５０】
図２９は、３色等分配列からなる配色の座標空間上での位置を変更した場合の変更後の配色の位置とその配色のカラー表示、及びその面積比率の数値表示等を表した表示部６００のモニタの表示内容の一例を示した図である。
【０１５１】
まず、図２９に示す様に、操作者は、入力部４００のマウスを用いて、例えば、第１ｃ直線１４上の所望の位置Ｐを指示したとする。
【０１５２】
ここで、上述した通り、感性語データベース２１０には、非等分の配色の一例として上述した第１ｃ１配色１０／１０ｃ１と第１ｃ２配色１０／１０ｃ２、第１ｃ３配色１０／１０ｃ３等についての各種データが予め格納されている。
【０１５３】
データ生成部５００は、画面上の位置Ｐの位置情報を検出し、主記憶部３００に格納されている対応する関数Ｃを用いて位置Ｐの立体座標空間上の座標位置（Ｘ，Ｙ，Ｚ）を求める。
【０１５４】
更に、データ生成部５００は、位置Ｐが、第１ｃ１配色１０／１０ｃ１の位置と第１ｃ２配色１０／１０ｃ２の間にあることを利用して、第１ｃ１配色１０／１０ｃ１の配色比率（２５％・２５％・５０％）と、第１ｃ２配色１０／１０ｃ２の配色比率（２０％・２０％・６０％）とを用いて、位置Ｐの座標位置（Ｘ，Ｙ，Ｚ）に対応する配色を構成する各単色の面積比率（α％・β％・γ％）を補間演算して、新たな配色１０Ｐの表示用データを生成して、表示部６００に送る。
【０１５５】
表示部６００は、モニタ画面上に新たな配色について、座標値（Ｘ，Ｙ，Ｚ）と、補間演算で算出された面積比率（α％・β％・γ％）と、その配色とを位置Ｐに対応させてカラー表示する（図２９参照）。
【０１５６】
以上の様に、同じ感性語に対応する別の配色の表示を順次切り替えたり、別の感性語を入力したり、線分上の任意の位置での配色比率を補間演算させたりする作業を組み合わせることで、配色設計に不慣れであっても、異なる単色を隣接配列してなる配色を構成する各単色の面積比率が変化した場合に、どの心理軸に影響を与えるのかを容易に把握でき、微妙な配色の調整を的確に且つ効率的に行うことが出来る。
【０１５７】
尚、本発明のプログラムは、例えば、上記実施の形態のカラーイメージスケール表示方法の、少なくとも上記表示ステップの動作をコンピュータにより実行させるためのプログラムであって、コンピュータと協働して動作するプログラムである。
【０１５８】
また、本発明の記録媒体は、例えば、上記実施の形態のカラーイメージスケール表示方法の、少なくとも上記表示ステップの動作をコンピュータにより実行させるためのプログラムを記録した記録媒体であって、コンピュータにより読み取り可能かつ、読み取られたプログラムがコンピュータと協働して利用されるプログラム記録媒体である。
【０１５９】
また、本発明の上記「表示ステップの動作」とは、上記表示ステップの全部または一部の動作を意味する。
【０１６０】
また、本発明に関連する発明のプログラムの一利用形態は、コンピュータにより読み取り可能な、ＲＯＭ等の記録媒体に記録され、コンピュータと協働して動作する態様であっても良い。
【０１６１】
また、本発明に関連する発明のプログラムの一利用形態は、インターネット等の伝送媒体、光・電波等の伝送媒体中を伝送し、コンピュータにより読みとられ、コンピュータと協働して動作する態様であっても良い。
【０１６２】
また、上述した本発明のコンピュータは、ＣＰＵ等の純然たるハードウェアに限らず、ファームウェアや、ＯＳ、更に周辺機器を含むものであっても良い。
【０１６３】
また、本実施の形態では、本発明のカラーイメージスケール表示装置をソフトウェア的に実現するもので説明したが、ハードウェア的に実現しても良い。
【０１６４】
尚、本発明は、本実施の形態の構成に限られず、発明の趣旨を変更しない範囲で種々の変形が可能である。
【０１６５】
例えば、上記実施の形態では、本発明の３種類の感性的イメージにそれぞれ対応する３つの座標軸（心理軸）として、ウォーム−クール軸、ソフト−ハード軸、及びクリア−グレイッシュ軸を用いた場合について説明したが、これに限らず、別の言葉・表現を用いても良い。
【０１６６】
また、上記実施の形態では、本発明の少なくとも２種類の感性的イメージに対応する座標軸（心理軸）で構成された座標空間として、３つの座標軸（ウォーム−クール、ソフト−ハード、及びクリア−グレイッシュの３軸）で構成された座標空間を用いた場合を中心に説明したが、これに限らず例えば、２つの座標軸（例えば、ウォーム−クール、ソフト−ハードの２軸）で構成された座標空間を用いても良いし、また、４つの座標軸或いはそれ以上の座標軸で構成された座標空間を用いても良い。
【０１６７】
また、上記実施の形態では、本発明の座標空間上での関連づけとして、直線又は曲線の線分を用いた場合について説明したが、これに限らず例えば、面積比率が等分の配色の座標空間上の配置位置と、その配色を構成する各単色の座標空間上の配置位置とを結ぶ一定の領域を用いても良い。即ち、各単色の面積比率の変化のさせ方として、３つの単色の内の一つの単色の面積比率を増加させると共に、残りの二つの単色を均等の面積比率で減少させる場合に限らず例えば、３つの単色の内の一つの単色の面積比率を増加させると共に、残りの一つの単色の面積比率を上記増加させた単色の半分とし、最後の残りの一つの単色の面積比率が０％になる手前までの範囲で変化させた場合やそれ以外の変化のさせ方で得た様々な配色について被験者を対象に調査分析することで、上記実施の形態で説明した線分とは別の線分が得られるので、これらの全ての線分を包含する最も小さな領域を関連づけとして用いても良い。
【０１６８】
また、上記実施の形態では、所定数の単色を隣接配列してなる配色として、３つの単色を隣接配列した配色を用いた場合を中心に説明したが、これに限らず例えば、２つの単色（或いはそれ以上の数の単色として、例えば４つの単色）を隣接配列した配色を用いても良い。この場合、少なくとも２種類の感性的イメージに対応する座標軸で構成された座標空間上における、等分の面積比率で隣接配列した上記配色と非等分の面積比率で隣接配列した上記配色とその配色を構成する各単色との間の関連付けとして、面積比率が等分の上記配色の座標空間上の配置位置と、上記配色を構成する各単色の座標空間上の配置位置とを結ぶ線分のデータを有し、その線分は、上記単色の内の一つの単色の面積比率を増加させると共に、残りの単色の合計の面積比率を減少させた場合（但し、残りの単色のそれぞれの面積比率の減少のさせ方は均等に減少させても良いし、均等でなくも良い）の各配色の配置位置を繋いだ線分である構成であっても良い。
【０１６９】
また、上記実施の形態では、主記憶部３００には、本発明の補間関数の一例としての近似関数と、本発明の関連付けの一例としての第１ａ直線１２等の線分データとが格納されている場合について説明したが、これに限らず例えば、何れか一方が格納されている構成でも良い。例えば、予め線分データが格納されていなければ、線分データは近似関数を用いて算出出来る。また、近似関数が格納されていなければ、図２９を用いて説明した任意の位置での配色の座標値や面積比率を求めることは出来ないが、少なくとも、図２０に表した予め被験者による分析結果から得られている非等分の面積比率の配色（例えば、図２０の第１ｃ１配色１０／１０ｃ１〜第１ｃ３配色１／１０ｃ３等）とその面積比率、及びその配色の座標空間上での位置がモニタ画面に表示されるので、配色の面積比率が変化した場合に、その配色の位置が、座標空間上においてどの方向に移動するのか、即ち、どの心理軸に影響を与えるのかを容易に把握出来る。
【０１７０】
また、上記実施の形態では、図２９に示す位置Ｐの座標位置（Ｘ，Ｙ，Ｚ）を求め、更にその座標位置に対応する配色を構成する各単色の面積比率（α％・β％・γ％）を補間演算して、新たな配色の表示用データを生成して、表示部６００に送る場合について説明した。しかし、位置Ｐが、例えば、第１ｃ１配色１０／１０ｃ１の座標位置と重なった場合、感性語データベース２１０に予め格納されている第１ｃ１配色１０／１０ｃ１の座標位置のデータ及び面積比率のデータをそのまま利用する構成とすれば、その場合は上記演算は不要となる。
【０１７１】
また、上記実施の形態では、本発明のカラーイメージスケールの一例として、データ記憶部２００に格納された感性語データベース２１０を用いた場合について説明したが、これに限らず例えば、本発明のカラーイメージスケールの他の例として、データ記憶部２００には感性語データベース２１０の他に、等分の面積比率で隣接配列した配色と、非等分の面積比率で隣接配列した配色と、その配色を構成する各単色とが、互いに座標空間上で関連付けられていることを示す例えば上記線分データも有していても良いし、更に、被験者に対する心理学的な分析によって予め得られている配色の面積比率とは異なる面積比率を有する別の配色の座標空間上の配置位置としては、予め得られている配色の配置位置を利用して予め補間されている、又は、別の配色の座標空間上の配置位置を求めるための補間関数も有していても良い。この場合、主記憶部３００に近似関数３１０を格納する必要は無い。
【０１７２】
また、上記実施の形態では、単色の数を１３０種類としたがこれに限定されるものでは無い。
【０１７３】
また、上記実施の形態では、感性語の数を１８０種類としたがこれに限定されるものでは無い。
【０１７４】
また、上記実施の形態では、本発明の感性語入力部として、キーボードを用いた場合について説明したが、これに限らず例えば、モニタ画面に表示された複数の感性語から所望の感性語をマウスで選択指示する構成であっても良い。
【０１７５】
また、上記実施の形態では、線分上の任意の位置Ｐを指示する場合として、図２９を用いて説明したが、これに限らず例えば、図２４、図２５で説明したパターンの異なる配色についても図２９で説明した方法がそのまま適用出来て、同様の効果が得られる。
【０１７６】
また、上記実施の形態では、立体座標空間上には、多数の単色と多数の配色がそれぞれ所定の位置に配置されており、また、一つの感性語に対して、複数の単色が対応したり、複数の配色が対応したりするが、図５〜図１６では、一例として、一つの感性語に対応する一つの配色（面積比率が等分の配色）とそれを構成する単色との関係を示した。従って、例えば、一つの感性語に対して、複数の配色が存在する場合、それら複数の配色の全部又は一部を同じ立体座標空間に同時に示すことも可能である。
【０１７７】
本発明は、心理的な色彩のイメージを調査し、個々の色彩の位置付けを行った色の心理的空間において、配色を構成する色の割合を変化させた場合に、どのように心理的立体空間上の位置が変化するかを推計し、例えばプログラム化したものである。
【０１７８】
また、本発明では、１８０語の感性語が投影された面積比率が等分の３色配色が感性語の一語に対して、１０パターン、合計１８００パターンが心理的立体空間上に位置付けられており、使用される色も、ＳＤ法調査と因子分析に使用した１３０色を使用している。そして、本発明は、例えば、その心理的立体空間における色の位置、配色と感性語の位置を基本に、３色それぞれの面積比率を変化させた場合のイメージの変化を推計し表示する技術を根幹としたプログラムである。
【０１７９】
本発明により、配色における面積比率を変化させる「感性的なシミュレーション」を容易に実行でき、感性語を使用した配色を効率的に行うことが出来る。例えば、赤と黄色とオレンジで構成された「活気のある」という感性語に対応した配色において、黄色の面積比率を増やした場合のシミュレーションは、黄色の持つイメージである、「にぎやかな」イメージが強調されることになる。
【０１８０】
即ち、面積比率が等分で構成された「活気ある」イメージの３色配色は、黄色を増やすにつれて「にぎやかな」という感性が強調された「活気のある」配色へと変化する。
【０１８１】
この様に、３色それぞれが固有の感性語で示されるイメージを持っているので、本願発明に係る技術を利用するユーザは、どのイメージを強調したいかを判断すれば良い。
【０１８２】
現実の世界では、国旗などを除いて、配色が均等の面積比率で使われることは非常に少なく、多くの場合、不均等な面積比率で構成されている。
【０１８３】
面積比率のコントロールが出来るようになると、配色に基調色や補助色を作りやすく、デザインなどの作業上、より現実的な操作がし易くなるというメリットがある。
【０１８４】
大面積に用いた色が基調、小面積の方が強調（アクセント）となる場合もあるし、中、小面積がサブカラーとしての役割を果たす場合もある。
【０１８５】
一方、均等の面積比率に配色された場合と、面積比率が異なる場合とでは、明らかに心理的な影響も異なる。その配色の面積比率を変化させた場合、どのような心理的影響があるかも、それぞれの配色で異なる。
【０１８６】
本発明は、それぞれの配色の面積比率の変化を研究し検証した結果を、立体表示が可能なプログラムとして構築したものである。
【０１８７】
本発明により、色彩と感性語を同時に立体的座標空間上に位置付け表示することが出来、あらゆる角度の視点から認識が出来る。
【０１８８】
更に、配色の面積比率の変化が感性語の変化と直接リンクするので、配色を作成する場面での意思決定に費やす時間が節約で、効率が飛躍的に高まることが期待される。
【０１８９】
また、色にとどまらず、形態や素材感、柄といった意匠的要素、「人の好み」や「人が感じる心理的なイメージ」を感性語に投影させて空間に位置付け、抽象的な事象も視覚的に認識することが出来る。
【０１９０】
この様に色彩と感性語のイメージの研究から出発し、３次元化することでものや事象のイメージを同じ空間内で認識できるシステムとなる。
【０１９１】
本発明の実施の形態によれば、配色に不慣れなユーザでも、目的に合った配色を的確かつ効率的に行うことが出来、感性語を使用することにより微妙なニュアンスも言葉で表現することが可能になり、配色選択の手間を大幅に削減出来る。
【０１９２】
例えば、グラフィック、プロダクト、ファッション、インテリア、景観などの配色計画において、デザイナーが画像の中の配色を変更するにあたり、立体空間内に配置された、感性語と対応した配色パターンを構成する各単色の面積比率を変更することで、目的に応じた詳細な配色設計を行うと同時に、簡便でインタラクティブにシミュレーションすることが可能になり、それにより、配色選択の手間を大幅に削減することが出来る。
【０１９３】
配色を構成している色の面積比率を変化させ、目視により配色設計を行う場合、配色の面積比率を変化させることで変化する感性語を表示することが出来る。これを参照、参考にすることで配色設計をよりよく客観的に進めることが出来る。
【０１９４】
更に、面積比率を変えた時の配色の座標空間上の位置や変化の方向性が立体空間の中で確認が出来、感性語との関係を確認することにより、配色を構成する各単色の面積比率を変化させたり、心理軸上で他の感性語を選択することにより、別の配色を選択することが出来、選択した配色を更に変更出来るので、微妙な配色の調整が出来る。
【０１９５】
また、配色と感性語を対応させることにより、従来は制作者の主観のみに依存していた配色が感性語を頼りに、より客観的な尺度で作業を行うことが出来る。
【０１９６】
この様に、本発明の実施の形態によれば、作業者が、人間の連想する色に対するイメージレベルの心理表示言語としての感性語を指示するだけで、それに対応した配色が画面上に表示されて、作業者はその中から所望の配色を容易に選定することが出来るので、従来の様に作業者が、ＲＧＢ値やＣＭＹＫ値を用いた複雑な調整をする必要がない。
【０１９７】
上述した様に、本発明によれば、例えば、配色を構成する各単色の面積比率が変化した場合に、心理軸のどの方向にイメージが変化するかの情報を容易に得ることが出来る。
【０１９８】
また、色の心理的空間内において、容易に配色を構成する各単色の面積比率の変化と、感性語の変化を確認出来る。
【０１９９】
更に、心理表示言語による心理イメージ変換要求に応じて配色操作を行うことが出来るので、作業者は入力画面、変換画像、及びこれらの画像の心理評価を表示部により確認しながら画像変換の操作をすることで、色の微妙な調整を容易に行うことが可能となり、目的に合った配色を効率的に実現することが出来る。
【０２００】
以上説明した通り、本発明は、感性語から配色を選択できるため、人の感性に適合した配色設計を効果的に行うことが出来る。
【０２０１】
また、「非常に」、「まあ」、「なんとなく」など、量的なイメージの副詞を付けた感性語も使用できるので、明確に方針が決定されていない状況でも本発明は適用可能である。
【０２０２】
その為、大幅に配色選択の作業効率を向上させることが可能となり、経験の浅い者でも、目的に合った感性の配色を選択することが出来る。
【０２０３】
また、本発明は、以下に示すような使用法がある。
【０２０４】
１）配色作業を感性的に支援
本発明を用いれば、デザインなどの配色作業において、色を選ぶ際、操作者は感性語を変更するだけで制作している配色を変更出来る。
【０２０５】
また、面積比率に応じた感性語の確認をしながら配色を行うことが出来、より微妙な操作が効率的に行える。
【０２０６】
これによって、Ｗｅｂやパッケージ、公告などのグラフィックデザイン、プロダクトやファッションなどの立体物のカラーリング、インテリアや外装、環境色彩計画の配色や色彩選定作業の効率が大幅に向上する。
【０２０７】
また、デザイン以外のフラワーアレンジメント、ガーデニング、テーブルコーディネイト、刺繍など趣味の分野にも活用出来る。
【０２０８】
２）好みの調査や診断、イメージ調査への活用
感性語を調査用の選択肢とし、好みの調査やイメージの調査を行い、上位語の言葉と配色を座標空間上に表示する。これを様々な角度、視点から見ることで、結果について新しい見方を提示することが出来る。
【０２０９】
また、複数の被験者の集計機能、比較機能、データの記録保存機能により、集団の調査結果を比較分析することが出来る。
【０２１０】
３）カラーデータの分析システムへの活用
様々な商品や物、環境の色などを調査し、集計した結果を座標空間上に表示することが出来る。その結果を人の心理軸で読み取ることが出来る。
【０２１１】
また、感性語と対応させて読み取ることが出来る。
【０２１２】
４）その他の活用
・ＧＵＩの配色において、操作者が感性語を表示するだけで、目的とするイメージのカラー画像に変更出来る機能への応用も可能である。
【０２１３】
・画像検索システムでは、予めカラー画像を空間内に配置することにより、感性語を選ぶと対応する画像が表示される機能への応用も可能である。  
【０２１４】
・カラー画像を心理イメージをそのカラー画像を分析することにより心理表示言語で表示することが出来る機能への応用も可能である。
【産業上の利用可能性】
【０２１５】
本発明のカラーイメージスケール、カラーイメージスケール表示装置、及びカラーイメージスケール表示方法などによれば、異なる単色を隣接配列してなる配色を構成する各単色の面積比率が変化した場合に、どの心理軸に影響を与えるのかを容易に把握できるという効果を発揮し、例えば、デザインなどの配色作業を感性的に支援したり、好みの調査や診断、イメージ調査への活用、カラーデータの分析システムへの活用などとして有用である。
【符号の説明】
【０２１６】
１０  第１配色
１０／１０ａ  第１ａ配色
１０／１０ｂ  第１ｂ配色
１０／１０ｃ  第１ｃ配色
２０  第２配色
２０／２０ａ  第２ａ配色
２０／２０ｂ  第２ｂ配色
２０／２０ｃ  第２ｃ配色
３０  第３配色
３０／３０ａ  第３ａ配色
３０／３０ｂ  第３ｂ配色
３０／３０ｃ  第３ｃ配色
１０ａ〜１０ｃ  単色
２０ａ〜２０ｃ  単色
３０ａ〜３０ｃ  単色
１００  カラーイメージスケール表示装置
２００  データ記憶部
２１０  感性語データベース
３００  主記憶部
３１０  近似関数
３２０  制御プログラム
４００  入力部
５００  データ生成部
６００  表示部
【図１】
2014037982.tif 000003
【図２】
2014037982.tif 000004
【図３】
2014037982.tif 000005
【図４】
2014037982.tif 000006
【図５】
2014037982.tif 000007
【図６】
2014037982.tif 000008
【図７】
2014037982.tif 000009
【図８】
2014037982.tif 000010
【図９】
2014037982.tif 000011
【図１０】
2014037982.tif 000012
【図１１】
2014037982.tif 000013
【図１２】
2014037982.tif 000014
【図１３】
2014037982.tif 000015
【図１４】
2014037982.tif 000016
【図１５】
2014037982.tif 000017
【図１６】
2014037982.tif 000018
【図１７】
2014037982.tif 000019
【図１８】
2014037982.tif 000020
【図１９】
2014037982.tif 000021
【図２０】
2014037982.tif 000022
【図２１】
2014037982.tif 000023
【図２２】
2014037982.tif 000024
【図２３】
2014037982.tif 000025
【図２４】
2014037982.tif 000026
【図２５】
2014037982.tif 000027
【図２６】
2014037982.tif 000028
【図２７】
2014037982.tif 000029
【図２８】
2014037982.tif 000030
【図２９】
2014037982.tif 000031
【国際調査報告】
2014037982.tif 000032
2014037982.tif 000033
2014037982.tif 000034
2014037982.tif 000035